(57)【要約】【課題】電気錠は、ユーザが長期間外出している間に電力不足となったり、ユーザが電池交換を忘れていた場合に電力不足となったりすることで、施解錠不能な状態になり得る。【解決手段】互いに無線通信する第１の電気錠および第２の電気錠のうち少なくとも一方が電力不足により施錠および解錠の少なくとも一方を実行不能な状態にある場合に、第１の電気錠および第２の電気錠の施錠および解錠の少なくとも一方を実行する方法は、第１の電気錠に外部電源から給電する段階と、第１の電気錠が認証する段階と、認証する段階の後に、第１の電気錠から、第２の電気錠の施錠および解錠の少なくとも一方を実行するための信号を携帯器へと出力する段階と、認証する段階の後に、第１の電気錠の施錠および解錠の少なくとも一方を実行する段階と、第２の電気錠に外部電源から給電する段階とを備える。【選択図】図５
2018204393.tif 000002
【特許請求の範囲】
【請求項１】
互いに無線通信する第１の電気錠および第２の電気錠のうち少なくとも一方が電力不足により施錠および解錠の少なくとも一方を実行不能な状態にある場合に、前記第１の電気錠および前記第２の電気錠の前記施錠および前記解錠の前記少なくとも一方を実行する方法であって、
前記第１の電気錠に外部電源から給電する段階と、
前記第１の電気錠が認証する段階と、
認証する段階の後に、前記第１の電気錠から、前記第２の電気錠の前記施錠および前記解錠の前記少なくとも一方を実行するための信号を携帯器へと出力する段階と、
認証する段階の後に、前記第１の電気錠の前記施錠および前記解錠の前記少なくとも一方を実行する段階と、
前記第２の電気錠に外部電源から給電する段階と、
前記携帯器から、前記第２の電気錠へと前記信号を出力する段階と、
前記信号に基づいて前記第２の電気錠の前記施錠および前記解錠の前記少なくとも一方を実行する段階と
を備える、方法。
【請求項２】
前記第１の電気錠の前記施錠および前記解錠の前記少なくとも一方を実行する段階は、前記第１の電気錠が前記携帯器から前記信号に対する応答信号を受信したことに応じて実行する
請求項１に記載の方法。
【請求項３】
前記第１の電気錠に前記外部電源から給電する段階は、
前記第１の電気錠が、前記外部電源からの給電開始を検知する段階と、
前記第１の電気錠が、前記給電開始を検知したことに応じて前記携帯器と通信する段階と
を含む、請求項１または２に記載の方法。
【請求項４】
前記第２の電気錠に前記外部電源から給電する段階は、
前記第２の電気錠が、前記外部電源からの給電開始を検知する段階と、
前記第２の電気錠が、前記給電開始を検知したことに応じて前記携帯器と通信する段階と
を含む、請求項１から３の何れか一項に記載の方法。
【請求項５】
前記第１の電気錠および前記第２の電気錠と前記携帯器との間の通信は、前記第１の電気錠と前記第２の電気錠との間の通信と同じである
請求項１から４の何れか一項に記載の方法。
【請求項６】
前記第１の電気錠および前記第２の電気錠と前記携帯器との間の通信は、前記第１の電気錠と前記第２の電気錠との間の通信と異なる
請求項１から４の何れか一項に記載の方法。
【請求項７】
通信が異なることは、通信方式および通信信号の少なくとも１つが異なることである
請求項６に記載の方法。
【請求項８】
前記携帯器は、前記外部電源および電子キーの一方である
請求項１から７の何れか一項に記載の方法。
【請求項９】
互いに無線通信する第１の電気錠および第２の電気錠を備え、
前記第１の電気錠および前記第２の電気錠のうち少なくとも一方が電力不足により施錠および解錠の少なくとも一方を実行不能な状態にある場合に、前記第１の電気錠が外部電源から給電を開始されたことを条件として、前記第１の電気錠が認証し、前記第２の電気錠の前記施錠および前記解錠の前記少なくとも一方を実行するための信号を外部の携帯器に送信し、且つ、前記第１の電気錠の前記施錠および前記解錠の前記少なくとも一方を実行し、その後、前記第２の電気錠が外部電源から給電を開始されたことを条件として、前記第２の電気錠が前記携帯器から前記信号を受信し、前記信号に基づいて前記第２の電気錠の前記施錠および前記解錠の前記少なくとも一方を実行する
電気錠セット。
【請求項１０】
前記第１の電気錠は、前記携帯器から前記信号に対する応答信号を受信したことに応じて前記第１の電気錠の前記施錠および前記解錠の前記少なくとも一方を実行する
請求項９に記載の電気錠セット。
【請求項１１】
前記第１の電気錠および前記第２の電気錠の少なくとも一方は、前記外部電源からの給電開始を検知して前記携帯器と通信する
を含む、請求項９または１０に記載の電気錠セット。
【請求項１２】
前記第１の電気錠および前記第２の電気錠と前記携帯器との間の通信は、前記第１の電気錠と前記第２の電気錠との間の通信と同じである
請求項９から１１の何れか一項に記載の電気錠セット。
【請求項１３】
前記第１の電気錠および前記第２の電気錠と前記携帯器との間の通信は、前記第１の電気錠と前記第２の電気錠との間の通信と異なる
請求項９から１１の何れか一項に記載の電気錠セット。
【請求項１４】
通信が異なることは、通信方式および通信信号の少なくとも１つが異なることである
請求項１３に記載の電気錠セット。
【請求項１５】
前記携帯器は、前記外部電源および電子キーの一方である
請求項９から１４の何れか一項に記載の電気錠セット。
【請求項１６】
互いに無線通信する第１の電気錠および第２の電気錠のうち少なくとも一方が電力不足により施錠および解錠の少なくとも一方を実行不能な状態にある場合に、外部電源から給電される前記第１の電気錠および前記第２の電気錠の前記施錠および前記解錠の前記少なくとも一方を実行させる携帯器のためのアプリケーションプログラムであって、
外部電源から給電されて認証し、前記施錠および前記解錠の前記少なくとも一方を実行する前記第１の電気錠から、前記第２の電気錠の前記施錠および前記解錠の前記少なくとも一方を実行するための信号を取得する段階と、
前記第２の電気錠の前記施錠および前記解錠の前記少なくとも一方を実行すべく、外部電源から給電される前記第２の電気錠に前記信号を出力する段階と
を前記携帯器に実行させるアプリケーションプログラム。
【発明の詳細な説明】
【技術分野】
【０００１】
本発明は、第１の電気錠および第２の電気錠を解錠する方法、電気錠セット、および、上記の方法を実行する携帯型端末のためのアプリケーションプログラムに関する。
【背景技術】
【０００２】
ドアに取り付けられ、互いに無線通信可能に結合された２つの施錠機構体を備える連携型施錠システムであって、２つの施錠機構体のうちのマスタの施解錠作動が、スレイブとの無線通信をトリガして、スレイブを施解錠作動させるものが知られている（例えば、特許文献１参照）。また、ドアの室内側のサムターンを覆うように取り付けられ、室外側にいるユーザのスマートフォンと無線通信して、自動で施解錠する電気錠が知られている（例えば、非特許文献１参照）。それらの駆動用電池は、少なくとも後者については、室内側に設けられている。
［先行技術文献］
［特許文献］
［特許文献１］特公表２０１６−５１０８４７号公報
［非特許文献］
［非特許文献１］http://qrio.me/smartlock/security/
【発明の概要】
【発明が解決しようとする課題】
【０００３】
電気錠は、ユーザが長期間外出している間に電力不足となったり、ユーザが電池交換を忘れていた場合に電力不足となったりすることで、施解錠不能な状態になり得る。しかしながら、上記の少なくとも後者の電気錠は、そもそも室内側に取り付けられ、更には交換式の電池を用いているため、ユーザが室外側から給電することは不可能である。よって、そのような場合に、外部から帰宅したユーザ１２は電気錠によってドアを解錠することはできず、内部から外出するユーザ１２は電気錠によってドアを施錠することはできない。
【課題を解決するための手段】
【０００４】
本発明の一態様においては、互いに無線通信する第１の電気錠および第２の電気錠のうち少なくとも一方が電力不足により施錠および解錠の少なくとも一方を実行不能な状態にある場合に、第１の電気錠および第２の電気錠の施錠および解錠の少なくとも一方を実行する方法であって、第１の電気錠に外部電源から給電する段階と、第１の電気錠が認証する段階と、認証する段階の後に、第１の電気錠から、第２の電気錠の施錠および解錠の少なくとも一方を実行するための信号を携帯器へと出力する段階と、認証する段階の後に、第１の電気錠の施錠および解錠の少なくとも一方を実行する段階と、第２の電気錠に外部電源から給電する段階と、携帯器から、第２の電気錠へと信号を出力する段階と、信号に基づいて第２の電気錠の施錠および解錠の少なくとも一方を実行する段階とを備える、方法を提供する。
【０００５】
本発明の一態様においては、互いに無線通信する第１の電気錠および第２の電気錠を備え、第１の電気錠および第２の電気錠のうち少なくとも一方が電力不足により施錠および解錠の少なくとも一方を実行不能な状態にある場合に、第１の電気錠が外部電源から給電を開始されたことを条件として、第１の電気錠が認証し、第２の電気錠の施錠および解錠の少なくとも一方を実行するための信号を外部の携帯器に送信し、且つ、第１の電気錠の施錠および解錠の少なくとも一方を実行し、その後、第２の電気錠が外部電源から給電を開始されたことを条件として、第２の電気錠が携帯器から信号を受信し、信号に基づいて第２の電気錠の施錠および解錠の少なくとも一方を実行する電気錠セットを提供する。
【０００６】
本発明の一態様においては、互いに無線通信する第１の電気錠および第２の電気錠のうち少なくとも一方が電力不足により施錠および解錠の少なくとも一方を実行不能な状態にある場合に、外部電源から給電される第１の電気錠および第２の電気錠の施錠および解錠の少なくとも一方を実行する携帯器のためのアプリケーションプログラムであって、外部電源から給電されて認証し、施錠および解錠の少なくとも一方を実行する第１の電気錠から、第２の電気錠の施錠および解錠の少なくとも一方を実行するための信号を取得する段階と、第２の電気錠の施錠および解錠の少なくとも一方を実行すべく、外部電源から給電される第２の電気錠に信号を出力する段階とを携帯器に実行させるアプリケーションプログラムを提供する。
【０００７】
上記の発明の概要は、本発明の必要な特徴の全てを列挙したものではない。これらの特徴群のサブコンビネーションもまた発明となり得る。
【図面の簡単な説明】
【０００８】
【図１】第１の実施形態による住居１５に設けられた電気錠システム１０の模式図である。
【図２】第１の実施形態による扉２０に設けられた上側電気錠１１０の模式図である。
【図３】第１の実施形態による扉２０に設けられた下側電気錠１５０の模式図である。
【図４】第１の実施形態による上側電気錠１１０および下側電気錠１５０を解錠する第１のフロー図である。
【図５】第１の実施形態による上側電気錠１１０および下側電気錠１５０を解錠する第２のフロー図である。
【図６】第２の実施形態によるモバイルバッテリ３５のブロック図である。
【発明を実施するための形態】
【０００９】
以下、発明の実施の形態を通じて本発明を説明する。下記の実施形態は特許請求の範囲にかかる発明を限定するものではない。また、実施形態の中で説明されている特徴の組み合わせの全てが発明の解決手段に必須であるとは限らない。
【００１０】
図１は、第１の実施形態による、住居１５に設けられた電気錠システム１０の模式図である。電気錠システム１０は、住居１５の内側１７と外側１６とを仕切る玄関の扉２０に設けられて扉２０を電気的に施解錠する電気錠セット１００と、住居１５の内側１７における例えばキッチンといった離れた部屋に設けられる操作盤４０と、ユーザ１２によって所有される携帯型端末３０およびモバイルバッテリ３５とを備える。電気錠セット１００は、電気的に携帯型端末３０のＩＤ情報を認証する。なお、本明細書において、用語「施解錠」は、施錠および解錠の少なくとも一方を意味する。すなわち、用語「施解錠」は、施錠のみ、解錠のみ、ならびに、施錠および解錠の何れかを意味する。
【００１１】
ユーザ１２は、例えば住居１５の住人や、電気錠システム１０の管理会社の人間である。携帯型端末３０は、例えば住人によって所有されるスマートフォンや、管理会社の人間によって携帯される管理端末であり、電子キーとしても機能する。携帯型端末３０は、近距離無線通信により、電気錠セット１００とデータ通信する。近距離無線通信規格として、例えばＢＬＥ（Ｂｌｕｅｔｏｏｔｈ（登録商標）  Ｌｏｗ  Ｅｎｅｒｇｙ）、Ｚｉｇｂｅｅ（登録商標）、ＮＦＣ（Ｎｅａｒ  Ｆｉｅｌｄ  Ｃｏｍｍｕｎｉｃａｔｉｏｎ）などを用いてもよい。ＮＦＣとして、電磁誘導式のＦｅｌｉＣａ（登録商標）を用いてもよい。
【００１２】
電気錠セット１００は、扉２０のハンドル２２よりも上側に位置する上側電気錠１１０と、ハンドル２２よりも下側に位置する下側電気錠１５０とを備える。電気錠セット１００は、上側電気錠１１０および下側電気錠１５０を施解錠することによって、扉２０を施解錠する。上側電気錠１１０および下側電気錠１５０は、携帯型端末３０の接近や携帯型端末３０以外の外部端末からの遠隔操作により自動で施解錠されてもよく、鍵穴への鍵の挿入及び回転やサムターンの回転により手動で施解錠されてもよい。
【００１３】
電気錠セット１００は、上記の通り、近距離無線通信等により携帯型端末３０と無線通信する。電気錠セット１００は、携帯型端末３０以外に、電磁誘導式や電波式のＲＦＩＤ（Ｒａｄｉｏ  Ｆｒｅｑｕｅｎｙ  Ｉｄｅｎｔｉｆｅｒ）により、上側電気錠１１０および下側電気錠１５０を施解錠するためのカードキー、ノンタッチキー、リモコンキー等の電子キーと無線通信してもよい。また、電気錠セット１００は、Ｗｉ−Ｆｉ（登録商標）などを用いた無線ＬＡＮにより、操作盤４０とデータ通信する。電気錠セット１００は、有線通信により、操作盤４０とデータ通信してもよい。
【００１４】
携帯型端末３０は、上側電気錠１１０および下側電気錠１５０を施解錠するためのＩＤキーを有する。ユーザ１２は、上側電気錠１１０および下側電気錠１５０の何れか一方に携帯型端末３０を接近させることによって、又は、携帯型端末３０を手持ちのカバン等に入れた状態で扉２０に接近することによって、扉２０を施解錠できる。なお、携帯型端末３０は携帯器の一例である。携帯器は、携帯型端末３０のようなＣＰＵ、ディスプレイ等を備える通信デバイスのみならず、少なくとも、電気錠セット１００とデータ通信する機能と、電気錠セット１００から受信した信号を一時的に記憶する機能とを有する通信デバイスも含む。
【００１５】
モバイルバッテリ３５は、例えば住人によって所有されるスマートフォン用の携帯型充電器であり、携帯型端末３０のみならず、電気錠セット１００にも接続されて給電できる。モバイルバッテリ３５は、他のコネクタを用いて、携帯型端末３０および電気錠セット１００のそれぞれに接続可能であってもよい。電気錠セット１００が、例えばユーザ１２が長期間外出している間に電力不足となったり、ユーザ１２が電池交換を忘れていた場合に電力不足となったりすることで、施解錠不能な状態になってしまった場合にも、ＩＤキーを有する携帯型端末３０と、予め充電したモバイルバッテリ３５とを用いることで、電気錠セット１００を施解錠できる。なお、モバイルバッテリ３５は外部電源の一例である。
【００１６】
上側電気錠１１０および下側電気錠１５０は、近距離無線通信により、互いにデータ通信する。近距離無線通信規格として、本実施形態ではＢＬＥを用いる。ＢＬＥを用いる場合、上側電気錠１１０および下側電気錠１５０は、互いに予めペアリングしておく。上側電気錠１１０と下側電気錠１５０との間の通信方式がＢＬＥである一方、上側電気錠１１０と携帯型端末３０との間の通信方式がＢＬＥ以外、例えばＷｉ−Ｆｉの場合、上側電気錠１１０および下側電気錠１５０は、電源がＯＮの状態である限り、常に互いに無線通信してもよい。本実施形態では、上側電気錠１１０と下側電気錠１５０との間の通信方式がＢＬＥであって、且つ、上側電気錠１１０と携帯型端末３０との間の通信方式もＢＬＥであるので、上側電気錠１１０および下側電気錠１５０は、電源がＯＮの状態であっても特定のトリガがあるまで互いに無線通信せず、特定のトリガがあった場合に互いに無線通信を開始する。上側電気錠１１０および下側電気錠１５０の施解錠動作は、無線通信により互いに連動する。具体的には、上側電気錠１１０を施解錠する場合に、上側電気錠１１０から下側電気錠１５０に対して、追従して施解錠するよう指示を出し、下側電気錠１５０に施解錠させる。なお、外部からの指示信号により、上側電気錠１１０および下側電気錠１５０を同じタイミングで施解錠させてもよい。
【００１７】
操作盤４０は、上側電気錠１１０および下側電気錠１５０を施解錠するための施解錠ボタンを有する。ユーザ１２は、扉２０から離れた場所にある操作盤４０の施解錠ボタンを操作することによって、扉２０を施解錠できる。
【００１８】
次に、図２及び図３を用いて、上側電気錠１１０および下側電気錠１５０の詳細を説明する。図２は、第１の実施形態による、扉２０に設けられた上側電気錠１１０の模式図である。
【００１９】
上側電気錠１１０は、扉２０の内側１７の面上に設けられる構成として、中空の上側内筐体１２４と、上側内筐体１２４の外面に取り付けられ、手動で上側電気錠１１０を施解錠するための上側サムターン１１６と、上側内筐体１２４の内部に収容される、上側制御部１１２、上側メモリ１３６、上側電源１３２、及び、上側残量計測部１３４とを備える。上側サムターン１１６、上側メモリ１３６、上側電源１３２、及び、上側残量計測部１３４は何れも、上側制御部１１２に有線接続される。
【００２０】
上側電気錠１１０は更に、扉２０の内部に組み込まれる構成として、上側デッドボルト１２０と、上側デッドボルト１２０を一方向に進退させるように駆動する上側アクチュエータ１２８と、上側デッドボルト１２０の進退方向における位置を検出する上側位置検出部１３８と、扉２０の開閉状態を検出する上側開閉検出部１４０とを備える。上側アクチュエータ１２８、上側位置検出部１３８、及び、上側開閉検出部１４０は何れも、上側制御部１１２に有線接続される。上側アクチュエータ１２８は、例えば電気式モータやソレノイドであってもよい。
【００２１】
上側電気錠１１０は更に、扉２０の外側１６の面上に設けられる構成として、開閉可能な上側蓋部１２７を有する中空の上側外筐体１２６と、上側外筐体１２６の内側に収容される上側通信部１１３及び上側音声出力部１３０と、を備える。上側電気錠１１０は更に、上側外筐体１２６の外側に取り付けられる上側発光部１３１および上側起動ボタン１３７と、上側外筐体１２６の上側蓋部１２７の内側に設けられ、上側蓋部１２７が開くことによって外部に露出する非常用の上側電源端子１３３と、を備える。上側電気錠１１０は更に、上側外筐体１２６と隣接して設けられ、工具を用いずに取り外し可能な中空の上側シリンダカバー１２２と、上側シリンダカバー１２２の内側に収容される上側シリンダ１１８と、を備える。上側通信部１１３、上側音声出力部１３０、上側発光部１３１、上側電源端子１３３、及び、上側シリンダ１１８は何れも、上側制御部１１２に有線接続される。
【００２２】
上側起動ボタン１３７は、消費電力を抑えて待機している状態である待機状態の上側電気錠１１０を起動するためのボタンであり、ユーザ１２によって押下されることができる。具体的には、上側電気錠１１０は、ユーザ１２によって上側起動ボタン１３７を押下されるまで待機状態となり、上側起動ボタン１３７を押下されると起動して、予め定められた時間が経過すると再び待機状態となる。
【００２３】
上側音声出力部１３０は、電気信号を物理振動に変えて、音楽や音声などの音を生み出すスピーカである。上側シリンダ１１８は、鍵が差し込まれる穴を有し、鍵の形状が穴の内部形状と合致する場合に、鍵が差し込まれた状態で回転する。上側シリンダ１１８は、内部での鍵の回転情報を、上側制御部１１２に出力する。
【００２４】
上側メモリ１３６は、ハードディスクドライブ等の不揮発性メモリによって構成される。上側メモリ１３６は、記録部の一例である。上側メモリ１３６には、上側制御部１１２によって使用される制御プログラムの他、複数の電気錠のＩＤ情報等が予め記憶されている。
【００２５】
上側電源１３２は、例えばリチウム電池であり、上側電気錠１１０の全体に電力を供給する。上側電源１３２によって、例えば約２年程度の期間にわたる継続使用が可能になる。例えば上側電源１３２の電源残量が予め定められた閾値よりも少なくなった場合に、上側電源１３２はユーザ１２によって交換される。上側電源１３２は、外部電源から無線又は有線により給電されて充電可能な構成としてもよく、例えば操作盤の電源から無線又は有線により給電されて充電してもよい。
【００２６】
上側発光部１３１は、例えばＬＥＤランプであり、目的に応じて、ユーザ１２に既知の、予め定められた異なる色、異なる点灯間隔、および、異なる点灯時間の少なくとも１つに従って発光する。例えば、上側発光部１３１は、上側電源１３２の電源残量が予め定められた閾値よりも多いときは点灯せず、当該閾値以下となった場合に連続的に緑色に発光する。また、上側発光部１３１は、電気錠間での通信障害が生じている場合に赤色に点滅したり、上側デッドボルト１２０の動作に不具合が生じている場合にオレンジ色に点滅したり、ＩＤの認証に失敗した場合に黄色に点滅したりしてもよい。このように、上側発光部１３１は、特定の色で発光することによって、特定の情報をユーザ１２に知らせることができる。
【００２７】
上側電源端子１３３は、上側電気錠１１０に外部電源から給電するための端子であり、例えばモバイルバッテリ３５の接続端子３６と接続可能である。図１および図２には、上側電源端子１３３にモバイルバッテリ３５の接続端子３６が差し込まれた状態が示されている。上側電源端子１３３および接続端子３６は、ＵＳＢ端子であってもよい。
【００２８】
上側残量計測部１３４は、上側制御部１１２からの指示信号が入力されると、上側電源１３２の電源残量を計測して、計測した電源残量値を上側制御部１１２に出力する。
【００２９】
上側デッドボルト１２０は、扉２０が閉じられた状態で扉２０の側面から突き出た場合に、扉２０の周囲を囲うように住居１５に設けられた枠に埋設されているストライクの開口と係合する。上側デッドボルト１２０は、扉２０を施錠するロック部の一例である。ロック部には、上側デッドボルト１２０と共にストライクの開口と係合することにより扉２０の施錠状態を強固に固定するための鎌や、上側デッドボルト１２０、鎌などを可動させるための複数のカムや軸受などの駆動機構が含まれてもよい。
【００３０】
上側位置検出部１３８は、光学式、電気式、磁気式などの任意のセンサ、例えば光電センサ、静電容量センサ、ホール素子などであり、上側デッドボルト１２０の進退方向における位置を検出し、検出した上側デッドボルト１２０の位置情報を上側制御部１１２に出力する。
【００３１】
上側開閉検出部１４０は、上側位置検出部１３８と同様に、光学式、電気式、磁気式などの任意のセンサ、例えば光電センサ、静電容量センサ、ホール素子などであり、扉２０の開閉状態を検出し、検出した扉２０の開閉情報を上側制御部１１２に出力する。
【００３２】
上側通信部１１３は、例えばＢＬＥを用いて、下側電気錠１５０および携帯型端末３０と無線通信する。上側通信部１１３は、ユーザ１２によって接近された携帯型端末３０のＩＤ情報を無線通信により読み取る上側リーダ１１４を有する。
【００３３】
上側制御部１１２は、ＣＰＵ等から構成され、上側メモリ１３６に記憶された制御プログラムを読み込むことによって複数の処理を実行する。また、制御プログラムは、可搬メディアを介してインストールされてもよく、インターネット等からダウンロードされてインストールされてもよい。
【００３４】
上側制御部１１２は、電源残量値が入力されたことに応じて、電源残量値を上側通信部１１３に出力して操作盤４０または携帯型端末３０に送信させることによってユーザ１２に通知してもよい。上側制御部１１２は、入力された電源残量値が、上側メモリ１３６に記憶されている予め定められた閾値を下回っているか否かを判断してもよく、更に、閾値を下回っている場合に、特定の音声信号を上側音声出力部１３０に出力し、上側音声出力部１３０が音声信号に基づいて特定の音声を出力してもよい。これにより、ユーザ１２は、例えば上側電源１３２の交換、又は、上側電源１３２への給電の必要性を知ることができる。
【００３５】
上側制御部１１２は、上側デッドボルト１２０の位置情報が入力されたことに応じて、上側デッドボルト１２０の位置情報を上側メモリ１３６に記録してもよく、又は、上側通信部１１３に出力して操作盤４０または携帯型端末３０に送信させることでユーザ１２に通知してもよい。上側制御部１１２は、施錠動作を上側デッドボルト１２０に実行させた場合には、上側デッドボルト１２０の位置が施錠位置にあるか否かを判断し、且つ、解錠動作を上側デッドボルト１２０に実行させた場合には、上側デッドボルト１２０の位置が解錠位置にあるか否かを判断してもよい。
【００３６】
施錠位置とは、上側デッドボルト１２０が扉２０の側面から完全に出切っている位置であり、解錠位置とは、上側デッドボルト１２０が扉２０の側面の内側に完全に退避している位置である。上側制御部１１２は、上側デッドボルト１２０に対して施錠動作を実行させたにも拘わらず上側デッドボルト１２０が施錠位置以外にある場合に、上側発光部１３１を特定の色で発光させてユーザ１２に施錠エラーを知らせてもよい。上側制御部１１２は、上側デッドボルト１２０に対して解錠動作を実行させたにも拘わらず上側デッドボルト１２０が解錠位置以外にある場合に、上側発光部１３１を特定の色で発光させてユーザ１２に解錠エラーを知らせてもよい。上側制御部１１２は、施錠エラー情報および解錠エラー情報を上側メモリ１３６に記録してもよく、施錠エラー情報および解錠エラー情報を上側通信部１１３に出力して操作盤４０または携帯型端末３０に送信させることで、ユーザ１２に通知してもよい。
【００３７】
上側制御部１１２は、扉２０の開閉情報が入力されたことに応じて、扉２０の開閉情報を上側メモリ１３６に記録してもよく、上側通信部１１３に出力して操作盤４０または携帯型端末３０に送信させることでユーザ１２に通知してもよい。上側制御部１１２は、上側開閉検出部１４０によって検出された扉２０の状態が閉状態である場合には、上側位置検出部１３８によって検出された上側デッドボルト１２０の位置が施錠位置にあるか否かを判断してもよい。上側制御部１１２は、上側開閉検出部１４０によって検出された扉２０の状態が開状態である場合には、上側位置検出部１３８によって検出された上側デッドボルト１２０の位置が解錠位置にあるか否かを判断してもよい。
【００３８】
上側制御部１１２は、扉２０の状態が閉状態であるにも拘わらず上側デッドボルト１２０が施錠位置以外にある場合に、上側発光部１３１を特定の色で発光させてユーザ１２に閉扉エラーを知らせてもよい。上側制御部１１２は、扉２０の状態が開状態であるにも拘わらず上側デッドボルト１２０が解錠位置以外にある場合に、上側発光部１３１を特定の色で発光させてユーザ１２に開扉エラーを知らせてもよい。上側制御部１１２は、閉扉エラーおよび開扉エラーを上側メモリ１３６に記録してもよく、閉扉エラー情報および開扉エラー情報を上側通信部１１３に出力して操作盤４０または携帯型端末３０に送信させることで、ユーザ１２に通知してもよい。
【００３９】
図３は、第１の実施形態による、扉２０に設けられた下側電気錠１５０の模式図である。下側電気錠１５０は、電子キーまたは携帯型端末３０のＩＤ情報を読み取るためのリーダと、待機状態にある下側電気錠１５０を起動するための起動ボタンとを有さない点を除いては上側電気錠１１０の各構成と同じ構成を有し、図３に示される通り、各構成の配置も上側電気錠１１０の各構成の配置と同じである。下側電気錠１５０は、下側制御部１５２、下側通信部１５３、下側サムターン１５６、下側シリンダ１５８、下側デッドボルト１６０、下側シリンダカバー１６２、下側内筐体１６４、下側外筐体１６６、下側蓋部１６７、下側アクチュエータ１６８および下側音声出力部１７０を備える。下側電気錠１５０は更に、下側発光部１７１、下側電源１７２、下側電源端子１７３、下側残量計測部１７４、下側メモリ１７６、下側位置検出部１７８および下側開閉検出部１８０を備える。下側電気錠１５０の各構成の機能は、上側電気錠１１０の対応する構成の機能と同じなので、説明の簡略化を目的として、重複する説明を省略する。なお、リーダを有する上側電気錠１１０はいわゆるマスタであり、リーダを有さない下側電気錠１５０はいわゆるスレイブである。
【００４０】
次に、図４を用いて、上側電源１３２および下側電源１７２に予め定められた閾値よりも多くの電源残量がある場合に扉２０を解錠するときのフローを説明する。図４は、第１の実施形態による上側電気錠１１０および下側電気錠１５０を解錠する第１のフロー図である。
【００４１】
本実施形態においては、上側電気錠１１０と携帯型端末３０との間の通信は、上側電気錠１１０と下側電気錠１５０との間の通信と同じものとして説明する。なお、ここで言うところの、通信が同じ、とは、通信方式および通信信号が同じであることを意図する。本実施形態における通信方式は、ＢＬＥである。携帯型端末３０と、上側電気錠１１０および下側電気錠１５０とは、予め、例えば住居１５に入居したときに、ペアリング済である。また、上側電気錠１１０と下側電気錠１５０とも、同様に予めペアリング済みである。ただし、図４のフローに示される通り、携帯型端末３０は通常、下側電気錠１５０とは無線通信せず、上側電気錠１１０と無線通信する。なお、以降の説明において、通信が異なる、と言及する場合は、通信方式および通信信号の少なくとも一方が異なることを意図する。
【００４２】
先ず、住居の外側１６にいるユーザ１２が、携帯型端末３０を上側電気錠１１０とＢＬＥ通信可能な状態にすべく、携帯型端末３０のＢＬＥをＯＮ状態にする。携帯型端末３０には、電気錠セット１００を施解錠するための施解錠アプリケーションがインストールされていてもよく、この場合、ユーザ１２は施解錠アプリケーションを立ち上げてフォアグラウンド状態にし、施解錠アプリケーションのガイダンスに従って携帯型端末３０のＢＬＥをＯＮ状態にしてもよい。
【００４３】
ユーザ１２は、ＢＬＥがＯＮ状態の携帯型端末３０を上側通信部１１３に接近させて、上側起動ボタン１３７を押下する。これにより、上側電気錠１１０が起動する（ステップＳ１０１）。
【００４４】
上側制御部１１２は、上側電気錠１１０が上側起動ボタン１３７の押下によって起動したことに応じて、上側通信部１１３におけるＢＬＥをＯＮ状態に切り替え、上側通信部１１３に携帯型端末３０との無線通信を開始させる（ステップＳ１０３）。
【００４５】
携帯型端末３０は、上側電気錠１１０との無線通信が開始したことに応じて、自動で、又は、フォアグラウンド状態の施解錠アプリケーションによるガイドでユーザ１２に操作させることによって、ＩＤ情報を上側通信部１１３に送信する（ステップＳ１０５）。
【００４６】
上側通信部１１３の上側リーダ１１４は、携帯型端末３０からＩＤ情報を受信すると、受信したＩＤ情報を上側制御部１１２に出力する。上側制御部１１２は、ＩＤ情報が入力されたことに応じて（ステップＳ１０７：ＹＥＳ）、上側メモリ１３６に記憶された登録ＩＤ情報を参照し、ＩＤ情報に含まれるＩＤが登録ＩＤであるか否かを判断する（ステップＳ１０９）。
【００４７】
上側制御部１１２は、ステップＳ１０１で上側電気錠１１０が上側起動ボタン１３７の押下によって起動してから予め定められた時間が経過した段階でＩＤ情報の入力がないことに応じて（ステップＳ１０７：ＮＯ）、上側音声出力部１３０に特定の音声信号を出力すると共に、上側発光部１３１に特定の発光信号を出力する。上側音声出力部１３０が特定の音声を出力し、上側発光部１３１が特定の色で発光することで、ＩＤ情報の読み取りエラーを聴覚的且つ視覚的にユーザ１２に通知する（ステップＳ１１１）。そして、ステップＳ１１１に続いて、ステップＳ１０７に戻る。なお、住居１５の近隣の住人等にユーザ１２の帰宅を気付かれないようにすべく、ＩＤ情報の読み取りエラーを上側発光部１３１の発光のみによってユーザ１２に知らせる構成としてもよく、ユーザ１２に何ら通知しなくてもよい。この場合、ユーザ１２は、扉２０が解錠しないことによって、何らかのエラーが生じたことを認知してもよい。
【００４８】
ステップＳ１０９において、上側制御部１１２は、受信したＩＤが登録ＩＤであると判断した場合に（ステップＳ１０９：ＹＥＳ）認証し（ステップＳ１１３）、上側通信部１１３に、携帯型端末３０との無線通信を終了させ（ステップＳ１１５）、待機状態の下側電気錠１５０を起動するためのウェークアップ信号を下側通信部１５３に送信させる。これにより、下側通信部１５３におけるＢＬＥをＯＮ状態に切り替え、上側通信部１１３と下側通信部１５３との無線通信を開始させる（ステップＳ１１７）。
【００４９】
ステップＳ１０９において、上側制御部１１２は、読み取ったＩＤが登録ＩＤではないと判断した場合に（ステップＳ１０９：ＮＯ）、認証エラーとして、上側音声出力部１３０に特定の音声信号を出力すると共に、上側発光部１３１に特定の発光信号を出力する。上側音声出力部１３０が特定の音声を出力し、上側発光部１３１が特定の色で発光することで、認証エラーを聴覚的且つ視覚的にユーザ１２に通知する（ステップＳ１１９）。そして、ステップＳ１１９に続いて、ステップＳ１０７に戻る。なお、読み取りエラーの場合と同様に、住居１５の近隣の住人等にユーザ１２の帰宅を気付かれないようにすべく、認証エラーを上側発光部１３１の発光のみによってユーザ１２に知らせる構成としてもよく、ユーザ１２に何ら通知しなくてもよい。
【００５０】
ステップＳ１１７に続いて、上側制御部１１２は更に、下側電気錠１５０を解錠させるための解錠信号を上側通信部１１３に出力する。上側通信部１１３は、無線通信により、解錠信号を下側電気錠１５０の下側通信部１５３に送信する（ステップＳ１２１）。
【００５１】
下側通信部１５３は、上側通信部１１３から解錠信号を受信した場合に（ステップＳ１２４：ＹＥＳ）、解錠信号に対する応答信号を上側通信部１１３に送信する（ステップＳ１２５）。下側通信部１５３は、上側通信部１１３から解錠信号を受信していない場合に（ステップＳ１２４：ＮＯ）、上側通信部１１３から解錠信号を受信するまでステップＳ１２４を繰り返す。
【００５２】
上側通信部１１３は、下側通信部１５３から応答信号を受信した場合に（ステップＳ１２７：ＹＥＳ）、応答信号を上側制御部１１２に出力する。上側制御部１１２は、応答信号を入力されたことに応じて、上側デッドボルト１２０を一方向に進退させるための信号を上側アクチュエータ１２８に出力し、上側アクチュエータ１２８を駆動させることで上側デッドボルト１２０を解錠位置に移動させる。これにより、上側電気錠１１０が解錠する（ステップＳ１２９）。
【００５３】
上側制御部１１２は、ステップＳ１２１で上側通信部１１３から下側通信部１５３に解錠信号を送信してから予め定められた時間が経過した段階で応答信号の入力がないことに応じて（ステップＳ１２７：ＮＯ）、上側通信部１１３に、再度解錠信号を出力し、下側通信部１５３に送信させる（ステップＳ１２１）。
【００５４】
ステップＳ１２５に続けて、下側通信部１５３は、解錠信号を下側制御部１５２に出力する。下側制御部１５２は、解錠信号を入力されたことに応じて、下側デッドボルト１６０を一方向に進退させるための信号を下側アクチュエータ１６８に出力し、下側アクチュエータ１６８を駆動させることで下側デッドボルト１６０を解錠位置に移動させる。これにより、下側電気錠１５０が解錠する（ステップＳ１３１）。
【００５５】
なお、ステップＳ１１３において、上側制御部１１２は、認証したことに応じて、上側音声出力部１３０に特定の音声信号を出力すると共に、上側発光部１３１に特定の発光信号を出力してもよい。上側音声出力部１３０が特定の音声を出力し、上側発光部１３１が特定の色で発光することで、正しく認証したことを聴覚的且つ視覚的にユーザ１２に知らせてもよい。また、ステップＳ１２９及びステップＳ１３１においても同様に、上側制御部１１２および下側制御部１５２は、上側電気錠１１０および下側電気錠１５０が解錠したことに応じて、正しく解錠したことを聴覚的且つ視覚的にユーザ１２に知らせてもよい。
【００５６】
なお、上側電源１３２および下側電源１７２に予め定められた閾値よりも多くの電源残量がある場合に扉２０を施錠するときのフローは、上記の解錠するときのフローと概ね同じなので省略する。本実施形態においては、上側制御部１１２および下側制御部１５２は、上側デッドボルト１２０および下側デッドボルト１６０を解錠位置に移動させた後に、上側リーダ１１４で再び携帯型端末３０のＩＤ情報を読み取るまで、上側デッドボルト１２０および下側デッドボルト１６０を解錠位置のままとする。同様に、上側制御部１１２および下側制御部１５２は、上側デッドボルト１２０および下側デッドボルト１６０を施錠位置に移動させた後に、上側リーダ１１４で再び携帯型端末３０のＩＤ情報を読み取るまで、上側デッドボルト１２０および下側デッドボルト１６０を施錠位置のままとする。
【００５７】
なお、代替的に、上側制御部１１２および下側制御部１５２は、上側デッドボルト１２０および下側デッドボルト１６０を解錠位置に移動させた後に、上側リーダ１１４で再び携帯型端末３０のＩＤ情報を読み取ることなく、扉２０が閉状態で予め定められた時間が経過したときに、上側デッドボルト１２０および下側デッドボルト１６０を施錠位置に移動させてもよい。また、上側制御部１１２および下側制御部１５２は、予め定められた時間内に、上側リーダ１１４で携帯型端末３０のＩＤ情報を繰り返し読み取った回数に応じて、上側デッドボルト１２０および下側デッドボルト１６０を解錠位置に移動させたり、施錠位置に移動させたり、解錠位置のままとしたり、施錠位置のままとしてもよい。
【００５８】
なお、ユーザ１２が住居１５の内側１７から扉２０を施解錠する場合は、通常、上側サムターン１１６を把持して回転することにより、上側電気錠１１０を手動で施解錠する。具体的には、上側サムターン１１６は、ユーザ１２によって回転されると、回転方向を示す情報を上側制御部１１２に出力する。上側制御部１１２は、回転方向を示す情報に基づいて、上側デッドボルト１２０を一方向に進退させるための信号を上側アクチュエータ１２８に出力し、上側アクチュエータ１２８を駆動させることで上側デッドボルト１２０を施解錠位置に移動させる。上側アクチュエータ１２８への信号出力と同時に、上側制御部１１２は、下側電気錠１５０においても施解錠させるための信号を上側通信部１１３に出力し、上側通信部１１３は当該信号を下側電気錠１５０に送信する。なお、上側サムターン１１６は、他の方法で上側電気錠１１０が施解錠されると、上側電気錠１１０の施解錠に連動して対応する方向に自動で回転する。なお、上側シリンダ１１８も同様に、鍵の挿入及び回転以外の方法で上側電気錠１１０が施解錠されると、上側電気錠１１０の施解錠動作に連動して対応する方向に自動で回転する。
【００５９】
次に、図５を用いて、上側電源１３２および下側電源１７２の電源残量が予め定められた閾値よりも少なく、電力不足で解錠不能な状態に陥っている場合に扉２０を解錠するときのフローを説明する。図５は、第１の実施形態による上側電気錠１１０および下側電気錠１５０を解錠する第２のフロー図である。
【００６０】
先ず、住居の外側１６にいるユーザ１２が、上側電気錠１１０の上側蓋部１２７を開けて上側電源端子１３３に、予め充電された状態のモバイルバッテリ３５を差し込む。また、ユーザ１２は、携帯型端末３０を上側電気錠１１０とＢＬＥ通信可能な状態にすべく、携帯型端末３０のＢＬＥをＯＮ状態にして、上側通信部１１３に接近させておく。
【００６１】
上側制御部１１２は、モバイルバッテリ３５からの給電開始を検知すると（ステップＳ２０１）、上側通信部１１３におけるＢＬＥをＯＮ状態に切り替え、上側通信部１１３に携帯型端末３０との無線通信を開始させる（ステップＳ２０３）。
【００６２】
ステップＳ２０５からステップＳ２１３までは、図４を用いて説明したステップＳ１０５からステップＳ１１３までと同一であるため、説明を省略する。
【００６３】
ステップＳ２１３に続けて、上側制御部１１２は、上側通信部１１３に解錠信号を出力し、上側通信部１１３に、解錠信号を携帯型端末３０に送信させる（ステップＳ２１５）。
【００６４】
携帯型端末３０は、上側通信部１１３から解錠信号を受信した場合に（ステップＳ２１９：ＹＥＳ）、解錠信号に対する応答信号を上側通信部１１３に送信する（ステップＳ２２１）。携帯型端末３０は、上側通信部１１３から解錠信号を受信していない場合に（ステップＳ２１９：ＮＯ）、上側通信部１１３から解錠信号を受信するまでステップＳ２１９を繰り返す。
【００６５】
上側通信部１１３は、携帯型端末３０から応答信号を受信した場合に（ステップＳ２２３：ＹＥＳ）、応答信号を上側制御部１１２に出力する。上側制御部１１２は、応答信号を入力されたことに応じて、上側デッドボルト１２０を一方向に進退させるための信号を上側アクチュエータ１２８に出力し、上側アクチュエータ１２８を駆動させることで上側デッドボルト１２０を解錠位置に移動させる。これにより、上側電気錠１１０が解錠する（ステップＳ２２５）。
【００６６】
上側制御部１１２は、ステップＳ１２１で上側通信部１１３から携帯型端末３０に解錠信号を送信してから予め定められた時間が経過した段階で応答信号の入力がないことに応じて（ステップＳ２２３：ＮＯ）、上側通信部１１３に、再度解錠信号を出力し、携帯型端末３０に送信させる（ステップＳ２１５）。
【００６７】
ステップＳ２２５に続けて、上側制御部１１２は、上側通信部１１３に、携帯型端末３０との無線通信を終了させる（ステップＳ２２７）。なお、ステップＳ２２７は、ユーザ１２が、上側電気錠１１０が解錠したことを確認してモバイルバッテリ３５を取り外したことによって強制的に実行してもよく、すなわち無線通信が断ち切られてもよい。
【００６８】
ステップＳ２２７に続けて、ユーザ１２は、下側電気錠１５０の下側蓋部１６７を開けて下側電源端子１７３に、予め充電された状態のモバイルバッテリ３５を差し込む。当該モバイルバッテリ３５は、上側電気錠１１０の解錠に用いたものと同一であってもよく、別のものであってもよい。また、ユーザ１２は、携帯型端末３０を下側電気錠１５０とＢＬＥ通信可能な状態にすべく、携帯型端末３０のＢＬＥをＯＮ状態にして、下側通信部１５３に接近させておく。
【００６９】
下側制御部１５２は、モバイルバッテリ３５からの給電開始を検知すると（ステップＳ２３１）、下側通信部１５３におけるＢＬＥをＯＮ状態に切り替え、下側通信部１５３に携帯型端末３０との無線通信を開始させる（ステップＳ２３３）。
【００７０】
携帯型端末３０は、下側電気錠１５０との無線通信が開始したことに応じて、自動で、又は、フォアグラウンド状態の施解錠アプリケーションによるガイドでユーザ１２に操作させることによって、ステップＳ２１９で上側電気錠１１０から受信した解錠信号を下側通信部１５３に送信する（ステップＳ２３５）。
【００７１】
下側通信部１５３は、上側通信部１１３から解錠信号を受信した場合に（ステップＳ２３７：ＹＥＳ）、解錠信号を下側制御部１５２に出力する。下側制御部１５２は、解錠信号を入力されたことに応じて、下側デッドボルト１６０を一方向に進退させるための信号を下側アクチュエータ１６８に出力し、下側アクチュエータ１６８を駆動させることで下側デッドボルト１６０を解錠位置に移動させる。これにより、下側電気錠１５０が解錠する（ステップＳ２３９）。
【００７２】
下側通信部１５３は、上側通信部１１３から解錠信号を受信していない場合に（ステップＳ２３７：ＮＯ）、上側通信部１１３から解錠信号を受信するまでステップＳ２３７を繰り返す。
【００７３】
ステップＳ２３９に続けて、下側制御部１５２は、下側通信部１５３に、携帯型端末３０との無線通信を終了させる（ステップＳ２４１）。なお、ステップＳ２４１は、ユーザ１２が、下側電気錠１５０が解錠したことを確認してモバイルバッテリ３５を取り外したことによって強制的に実行してもよく、すなわち無線通信が断ち切られてもよい。
【００７４】
なお、上側電源１３２および下側電源１７２の電源残量が予め定められた閾値よりも少なく、電力不足で施錠不能な状態に陥っている場合に扉２０を施錠するときのフローについても、上記の解錠するときのフローと概ね同じなので省略する。
【００７５】
以上、図１から図５を用いて第１の実施形態による電気錠システム１０を説明した。第１の実施形態による電気錠システム１０は、上側電気錠１１０および下側電気錠１５０が電力不足により施解錠不能な状態にある場合に、上側電気錠１１０がモバイルバッテリ３５から給電を開始されたことを条件として、給電中の上側電気錠１１０が認証し、外部の携帯型端末３０に施解錠信号を出力し、且つ、上側電気錠１１０自身が施解錠する。そして、その後に、下側電気錠１５０がモバイルバッテリ３５から給電を開始されたことを条件として、給電中の下側電気錠１５０が携帯型端末３０から施解錠信号を受信し、施解錠信号に基づいて施解錠する。
【００７６】
上記の電気錠システム１０において、給電中の上側電気錠１１０は、携帯型端末３０から施解錠信号に対する応答信号を受信したことに応じて施解錠する構成としてもよい。また、上側電気錠１１０および下側電気錠１５０の少なくとも一方は、モバイルバッテリ３５からの給電開始を検知して携帯型端末３０と通信する構成としてもよい。
【００７７】
上記の電気錠システム１０において、上側電気錠１１０および下側電気錠１５０と携帯型端末３０との間の通信は、上側電気錠１１０と下側電気錠１５０との間の通信と同じ構成としてもよく、異なる構成としてもよい。通信が異なる構成の場合、各電気錠および携帯型端末３０は、緊急時用の特別な信号を用いてもよい。
【００７８】
上記の構成を備える電気錠システム１０によれば、ユーザ１２が長期間外出している間に電力不足となったり、ユーザ１２が電池交換を忘れていた場合に電力不足となったりすることで、施解錠不能な状態になった場合であっても、外部から帰宅したユーザ１２は、または内部から外出しようとするユーザ１２は、携帯型端末３０と１つのモバイルバッテリ３５とを用いることで、各電気錠を動作させ、扉２０を直ぐに施解錠することができる。
【００７９】
なお、各電気錠が電力不足で施解錠不能な状態になったときに帰宅した又は外出するユーザ１２がモバイルバッテリ３５を２つ携帯していた場合、ユーザ１２は各モバイルバッテリ３５を各電気錠に同時に接続してもよい。この場合、電気錠システム１０は、図５のフローを実行することが好ましい。
【００８０】
以上の第１の実施形態による電気錠システム１０において、上側電気錠１１０および下側電気錠１５０が電力不足により施解錠不能な状態にある場合には、図５を用いて説明した通り、例えばスマートフォンといった携帯型端末３０が上側電気錠１１０から施解錠信号を預かり、下側電気錠１５０に送信することで、両電気錠を施解錠する構成として説明した。図６を用いて説明する第２の実施形態による電気錠システム１０では、代替的に、モバイルバッテリ３５が上側電気錠１１０から施解錠信号を預かり、下側電気錠１５０に送信することで、両電気錠を施解錠する。この場合のモバイルバッテリ３５は、携帯型端末の一例となる。
【００８１】
図６は、第２の実施形態によるモバイルバッテリ３５のブロック図である。モバイルバッテリ３５は、電力を充電可能なバッテリ部３７と、ハードディスクドライブ等の不揮発性メモリによって構成されるメモリ部３８とを有する。バッテリ部３７およびメモリ部３８は、接続端子３６に有線接続され、接続端子３６が上側電気錠１１０の上側電源端子１３３および下側電気錠１５０の下側電源端子１７３に接続された場合に、上側電気錠１１０および下側電気錠１５０に接続される。
【００８２】
第２の実施形態によれば、第１の実施形態における図５のフローのステップＳ２１５において、有線通信により、上側電気錠１１０がモバイルバッテリ３５のメモリ部３８に解錠信号を送信する。そして、ステップＳ２３１において、モバイルバッテリ３５から下側電気錠１５０に給電開始すると同時に、有線通信により、メモリ部３８の解錠信号を下側制御部１５２に読み出させることで、下側電気錠１５０を解錠できる。
【００８３】
以上の複数の実施形態において、とりわけ図５を用いて、上側電源１３２および下側電源１７２の両方の電源残量が予め定められた閾値よりも少なく、上側電源１３２および下側電源１７２の両方が電力不足で施解錠不能な状態に陥っている場合に扉２０を施解錠するときのフローを説明した。当該フローは、上側電源１３２および下側電源１７２の何れか一方の電源残量が予め定められた閾値よりも少なく、上側電源１３２および下側電源１７２の当該一方が電力不足で施解錠不能な状態に陥っている場合にも適用できる。ただし、この場合には、当該一方の電源残量が予め定められた閾値よりも少なくなったときに、電気錠セット１００の全体が通常の動作状態から特別な動作状態に移行して、モバイルバッテリ３５から当該一方に給電開始しても自動で通常の動作状態に復帰しない構成にしてもよい。なお、ここでいう通常の動作状態とは、図４を用いて説明したフローに従うことを意図しており、特別な動作状態とは、図５を用いて説明したフローに従うことを意図している。
【００８４】
以上の複数の実施形態において、携帯型端末には、上側電気錠および下側電気錠が電力不足により施解錠不能な状態にある場合に、モバイルバッテリから給電される上側電気錠および下側電気錠を施解錠するアプリケーションプログラムがインストールされていてもよい。当該アプリケーションプログラムは、給電中に認証して施解錠する上側電気錠から、下側電気錠を施解錠するための施解錠信号を取得する段階と、給電中の下側電気錠を施解錠すべく、下側電気錠に施解錠信号を出力する段階と、を携帯型端末に実行させてもよい。
【００８５】
以上の複数の実施形態において、モバイルバッテリは、スマートフォンなどの携帯型端末に内蔵されたバッテリであってもよい。また、各電気錠が、予め定められた閾値よりも多くの電源残量を有する状態でモバイルバッテリに接続された場合には、図４のフローを実行してもよく、図５のフローを実行してもよい。
【００８６】
以上の複数の実施形態において、各電気錠が電力不足により施解錠不能な状態にある場合には、各電気錠に予め充電されたモバイルバッテリを接続した状態、すなわち各電気錠がモバイルバッテリから給電されている最中に、各電気錠を動作させる構成として説明した。これに代えて、各電気錠が電力不足により施解錠不能な状態にある場合に、各電気錠の電源残量が予め定められた閾値よりも多くなるまで各電源部をモバイルバッテリで充電した後に、図５のフローにおける各電気錠の動作の一部または全てを実行する構成としてもよい。具体的には、上側電気錠と携帯型端末との間のフローであるステップＳ２０３からステップＳ２２７までの一部または全てを、上側電気錠がモバイルバッテリから上記の様に充電された後に実行してもよい。また、下側電気錠と携帯型端末との間のフローであるステップＳ２２３からステップＳ２４１までの一部または全ても、下側電気錠がモバイルバッテリから上記の様に充電された後に実行してもよい。
【００８７】
以上の複数の実施形態において、各電気錠が電力不足により施解錠不能な状態にある場合に、ユーザがモバイルバッテリとＩＤ情報を有する携帯型端末とを用いて施解錠する方法を説明した。しかしながら、例えば各電気錠が電力供給されても適切に動作しない場合には、ユーザは、各電気錠のシリンダカバーを取り外して、所有している鍵をシリンダに挿入及び回転することにより、各電気錠を手動で施解錠してもよい。
【００８８】
以上の複数の実施形態において、上側電気錠にはテンキーがあってもよく、ユーザがテンキー入力することで、認証および施解錠を行ってもよい。また、各電気錠に緊急事態用ボタンがあってもよく、緊急事態用ボタンの押下操作がトリガとなって携帯型端末などの外部機器との通信を開始してもよい。
【００８９】
以上の複数の実施形態において、２つの電気錠は別個に電源を備える構成として説明した。この場合において、一方の電気錠に、２つの電気錠のそれぞれに対応する表示部を２つ設け、各電気錠の電源残量が予め定められた閾値を下回ったことを各表示部に警告表示させてもよい。この場合の動作の一例として、２つの電気錠のいずれか一方の電源残量が予め定められた閾値を下回ったときに、両方の表示部に警告表示させ、一方の電源交換が終了したら対応する表示部のみの警告表示を消し、続けて他方の電源交換も終了したら対応する表示部の警告表示も消す。当該動作によれば、電気錠間で、電源残量が予め定められた閾値を下回るタイミングに差が生じている場合にも、２つの電気錠の電源を一度に交換できるため、電気錠セットにおける電源交換頻度を減らすことができる。
【００９０】
以上の複数の実施形態において、電気錠セットは２つの電気錠からなる構成として説明した。これに代えて、電気錠セットは、３つ以上の電気錠からなってもよい。３つ以上の電気錠間での無線通信は相互に実行されてもよく、何れか１つをマスタと定めて他をスレイブと定める場合には、マスタと各スレイブとの間のみで無線通信が実行されてもよい。
【００９１】
以上の複数の実施形態において、制御部は、各電気錠に１つずつ設ける構成として説明した。これに代えて、制御部を、上側電気錠にのみ設ける構成としてもよい。上側電気錠のみが制御部を備える場合、制御部は、無線通信を利用して直接的に、又は、制御信号を他の外部機器、例えば携帯型端末に預けて間接的に、両電気錠の各構成を制御する。
【００９２】
以上の複数の実施形態において、メモリは、各電気錠に１つずつ設ける構成として説明した。これに代えて、メモリを、何れか１つの電気錠にのみ設ける構成としてもよい。
【００９３】
以上の複数の実施形態において、メモリは、各電気錠に１つずつ設けて、各電気錠の各種情報を別個に記憶する構成として説明した。具体的には、上側電気錠に設けられたメモリは上側電気錠の各種情報を記憶し、下側電気錠に設けられたメモリは下側電気錠の各種情報を記憶するものとして説明した。これに代えて、上側電気錠に設けられたメモリは上側電気錠の各種情報のみならず下側電気錠の各種情報も記憶し、下側電気錠に設けられたメモリは下側電気錠の各種情報のみならず上側電気錠の各種情報も記憶してもよい。
【００９４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００９５】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００９６】
１０  電気錠システム、１２  ユーザ、１５  住居、１６  外側、１７  内側、２０  扉、２２  ハンドル、３０  携帯型端末、３５  モバイルバッテリ、３６  接続端子、３７  バッテリ部、３８  メモリ部、４０  操作盤、１００  電気錠セット、１１０  上側電気錠、１１２  上側制御部、１１３  上側通信部、１１４  上側リーダ、１１６  上側サムターン、１１８  上側シリンダ、１２０  上側デッドボルト、１２２  上側シリンダカバー、１２４  上側内筐体、１２６  上側外筐体、１２７  上側蓋部、１２８  上側アクチュエータ、１３０  上側音声出力部、１３１  上側発光部、１３２  上側電源、１３３  上側電源端子、１３４  上側残量計測部、１３６  上側メモリ、１３７  上側起動ボタン、１３８  上側位置検出部、１４０  上側開閉検出部、１５０  下側電気錠、１５２  下側制御部、１５３  下側通信部、１５６  下側サムターン、１５８  下側シリンダ、１６０  下側デッドボルト、１６２  下側シリンダカバー、１６４  下側内筐体、１６６  下側外筐体、１６７  下側蓋部、１６８  下側アクチュエータ、１７０  下側音声出力部、１７１  下側発光部、１７２  下側電源、１７３  下側電源端子、１７４  下側残量計測部、１７６  下側メモリ、１７８  下側位置検出部、１８０  下側開閉検出部
【図１】
2018204393.tif 000003
【図２】
2018204393.tif 000004
【図３】
2018204393.tif 000005
【図４】
2018204393.tif 000006
【図５】
2018204393.tif 000007
【図６】
2018204393.tif 000008